(57)【要約】  多重チャネル上で無線通信をするシステムと方法が公開されている。システムの一実施形態は、省力のためにウェイクアップスケジュール上で作動する。システムは、無線通信のために第１周波数帯域及び第２周波数帯域を利用できる第１多重帯域無線ステーション；及び無線通信のために第１周波数帯域及び第２周波数帯域を利用できる第２多重帯域無線ステーションを含む。第１ステーション及び第２ステーションのうち一つまたはそれ以上は、内部に第１ステーション、第２ステーション及びアクセスポイントのうち一つまたはそれ以上に対して、第２周波数帯域に関する一つまたはそれ以上のウェイクアップスケジュールを維持するように構成される。第１ステーション及び第２ステーションは、第１周波数帯域を通じて互いに一つまたはそれ以上のウェイクアップスケジュールを共有するように構成される。システムは、前記ステーションが互いに効果的に結合可能にし、これにより電力を節約する。
2013505662.tif 000002
【特許請求の範囲】
【請求項１】
無線通信用デバイスにおいて、
無線通信のために第１周波数帯域を利用するように構成された第１アンテナシステムと、
第２周波数帯域が前記第１周波数帯域と異なる時、無線通信のために前記第２周波数帯域を利用するように構成された第２アンテナシステムと、
前記デバイス及び／または他の無線デバイスの前記第２周波数帯域に対する一つまたはそれ以上のウェイクアップスケジュールを含む情報を保存するように構成されたメモリと、
信号が少なくても部分的に前記デバイス及び／または他の無線デバイスの前記第２周波数帯域の前記一つまたはそれ以上のウェイクアップスケジュールを含む時、前記第１周波数帯域上で前記信号を伝送及び／または受信するように構成された媒体接近制御（ＭＡＣ）階層と、を含むことを特徴とする無線通信用デバイス。
【請求項２】
前記第１周波数帯域は、
前記第２周波数帯域より低い周波数を持ち、前記第１周波数帯域は、前記第２周波数帯域より長い伝送距離を持つことを特徴とする請求項１に記載の無線通信用デバイス。
【請求項３】
前記第１周波数帯域は、約２．４または５ＧＨｚの周波数を持ち、
前記第２周波数帯域は、約６０ＧＨｚの周波数を持つことを特徴とする請求項２に記載の無線通信用デバイス。
【請求項４】
前記第１アンテナシステムは、
第１無線ネットワークで、無線通信のために前記第１周波数帯域を利用するように構成され、
前記第２アンテナシステムは、
前記第１無線ネットワークと異なる第２無線ネットワークで、無線通信のために前記第２周波数帯域を利用するように構成されることを特徴とする請求項２に記載の無線通信用デバイス。
【請求項５】
前記一つまたはそれ以上のウェイクアップスケジュールは、
アウェイク区間、睡眠区間及びアウェイクウィンドウのうち一つまたはそれ以上についての情報を含むことを特徴とする請求項１に記載の無線通信用デバイス。
【請求項６】
前記一つまたはそれ以上のウェイクアップスケジュールは、
ウェイクアップスケジュール開始時間及び／または睡眠間隔についての情報を含むことを特徴とする請求項１に記載の無線通信用デバイス。
【請求項７】
前記信号は、
要素ＩＤフィールド、要素の長さフィールド、及びアウェイクウィンドウフィールドのうち一つまたはそれ以上で構成された情報要素を含むことを特徴とする請求項１に記載の無線通信用デバイス。
【請求項８】
前記信号は、
要素ＩＤフィールド、要素長さフィールド、開始時間フィールド及び睡眠間隔フィールドのうち一つまたはそれ以上で構成された情報要素を含むことを特徴とする請求項１に記載の無線通信用デバイス。
【請求項９】
前記ＭＡＣ階層は、
前記信号が、前記デバイス及び／または前記デバイスと結合されたアクセスポイントの前記第２周波数帯域に対して、一つまたはそれ以上のウェイクアップスケジュールについての情報を含む時、前記信号を伝送するように構成されたことを特徴とする請求項１に記載の無線通信用デバイス。
【請求項１０】
前記ＭＡＣ階層は、
前記信号が、さらに他の非アクセスポイント無線デバイス及び／または前記非アクセスポイント無線デバイスが結合されているアクセスポイントの前記第２周波数帯域に対して、一つまたはそれ以上のウェイクアップスケジュールについての情報を含む時、前記信号を受信するように構成されることを特徴とする請求項１に記載の無線通信用デバイス。
【請求項１１】
前記ＭＡＣ階層は、
少なくとも部分的に前記受信された信号に含まれた前記情報に基づいて、前記デバイスの前記ウェイクアップスケジュールを調整するようにさらに構成されることを特徴とする請求項１０に記載の無線通信用デバイス。
【請求項１２】
前記デバイスは、
前記デバイスの前記調整されたウェイクアップスケジュールを利用して、前記第２周波数帯域を通じてアクセスポイント及び／または非アクセスポイント無線デバイスと結合するようにさらに構成されることを特徴とする請求項１１に記載の無線通信用デバイス。
【請求項１３】
前記ＭＡＣ階層は、
少なくとも部分的に前記受信された信号に含まれた情報に基づいて、前記デバイス、前記他の非アクセスポイント無線デバイス、及び前記アクセスポイントのうち一つまたはそれ以上に対して、前記第２周波数帯域の提案されたウェイクアップスケジュールを伝送するようにさらに構成されたことを特徴とする請求項１０に記載の無線通信用デバイス。
【請求項１４】
前記第１周波数帯域は、
他の無線デバイスとの結合プロセスによって、ピアツーピア通信リンクが形成された周波数帯域であることを特徴とする請求項１に記載の無線通信用デバイス。
【請求項１５】
前記第２周波数帯域は、
他の無線デバイスとの結合プロセスによって、ピアツーピア通信リンクが形成されていない周波数帯域であることを特徴とする請求項１に記載の無線通信用デバイス。
【請求項１６】
前記デバイスは、
与えられた特定時点で、前記第１周波数帯域及び前記第２周波数帯域のうち一つまたはそれ以上に対してアウェイクモード状態であることを特徴とする請求項１に記載の無線通信用デバイス。
【請求項１７】
無線通信システムにおいて、
第２周波数帯域が第１周波数帯域と異なる時、無線通信のために、前記第１周波数帯域及び前記第２周波数帯域を利用できる第１多重帯域無線ステーションと、
無線通信のために、前記第１周波数帯域及び前記第２周波数帯域を利用できる第２多重帯域無線ステーションと、を含み、
前記第１ステーション及び前記第２ステーションのうち一つまたはそれ以上は、前記第１ステーション、前記第２ステーション及びアクセスポイントのうち一つまたはそれ以上に対する前記第２周波数帯域の一つまたはそれ以上のウェイクアップスケジュールを内部に維持するように構成され、
前記第１ステーション及び前記第２ステーションは、前記第１周波数帯域を通じて互いに前記一つまたはそれ以上のウェイクアップスケジュールを共有するように構成されることを特徴とする無線通信システム。
【請求項１８】
前記第１周波数帯域は、
前記第２周波数帯域より低い周波数を持ち、前記第１周波数帯域は、前記第２周波数帯域より長い伝送距離を持つことを特徴とする請求項１７に記載の無線通信システム。
【請求項１９】
前記第１ステーション及び前記第２ステーションは、
前記第１周波数帯域上で互いにリンクを形成し、前記一つまたはそれ以上のウェイクアップスケジュールを共有するために前記リンクを利用するように構成された請求項１７に記載の無線通信システム。
【請求項２０】
前記第１周波数帯域を利用して、前記第１ステーション及び前記第２ステーションと結合するように構成された第１アクセスポイントと、
前記第２周波数帯域を利用して、前記第１ステーション及び前記第２ステーションのうち一つまたはそれ以上と結合するように構成された第２アクセスポイントと、をさらに含むことを特徴とする請求項１７に記載の無線通信システム。
【請求項２１】
前記一つまたはそれ以上のウェイクアップスケジュールは、前記第２アクセスポイントのウェイクアップスケジュールを含むことを特徴とする請求項２０に記載の無線通信システム。
【請求項２２】
前記一つまたはそれ以上のステーションは、少なくとも部分的に前記一つまたはそれ以上のウェイクアップスケジュールに基づいて、自体ウェイクアップスケジュールを調整できるようにさらに構成されることを特徴とする請求項１７に記載の無線通信システム。
【請求項２３】
前記第１ステーション及び前記第２ステーションは、
前記調整されたウェイクアップスケジュールを利用して、前記第２周波数帯域を通じて互いに通信するようにさらに構成されることを特徴とする請求項２２に記載の無線通信システム。
【請求項２４】
前記一つまたはそれ以上のステーションは、
前記調整されたウェイクアップスケジュールを利用して、前記第２周波数帯域上で前記第２アクセスポイントと結合するようにさらに構成されることを特徴とする請求項２２に記載の無線通信システム。
【請求項２５】
前記第１周波数帯域は、
前記第１ステーションと前記第２ステーションとの間に、結合プロセスによりピアツーピア通信リンクが形成された周波数帯域であることを特徴とする請求項１７に記載の無線通信システム。
【請求項２６】
前記第２周波数帯域は、
前記第１ステーションと前記第２ステーションとの間に、結合プロセスによりピアツーピア通信リンクが形成されていないことを特徴とする請求項１７に記載の無線通信システム。
【請求項２７】
前記第１ステーション及び前記第２ステーションそれぞれは、
与えられた特定時点に、前記第１周波数帯域及び前記第２周波数帯域のうち一つまたはそれ以上に対してアウェイクモード状態であることを特徴とする請求項１７に記載の無線通信システム。
【請求項２８】
無線通信方法において、
第２周波数帯域が第１周波数帯域と異なる時、無線通信のために、前記第１周波数帯域及び前記第２周波数帯域を利用できる第１多重帯域無線ステーションが、無線通信のために、前記第１周波数帯域及び前記第２周波数帯域を利用できる第２多重帯域無線ステーションと前記第１周波数帯域上で無線リンクを形成する段階と、
前記第１周波数帯域を通じて、前記第１ステーションが前記第２周波数帯域の一つまたはそれ以上のウェイクアップスケジュールを前記第２ステーションに伝送する段階と、を含み、
前記一つまたはそれ以上のウェイクアップスケジュールは、前記第１ステーション及び／またはアクセスポイントのウェイクアップスケジュールを含み、
前記アクセスポイントは、前記第２周波数帯域で前記第１ステーションと結合されることを特徴とする無線通信方法。
【請求項２９】
前記第１周波数帯域は、
前記第２周波数帯域より低い周波数を持ち、前記第１周波数帯域は、前記第２周波数帯域より長い伝送距離を持つことを特徴とする請求項２８に記載の無線通信方法。
【請求項３０】
前記一つまたはそれ以上のウェイクアップスケジュールは、
アウェイク区間、睡眠区間、及びアウェイクウィンドウのうち一つまたはそれ以上についての情報を含むことを特徴とする請求項２８に記載の無線通信方法。
【請求項３１】
前記一つまたはそれ以上のウェイクアップスケジュールは、
ウェイクアップスケジュール開始時間及び／または睡眠間隔についての情報を含むことを特徴とする請求項２８に記載の無線通信方法。
【請求項３２】
無線通信方法において、
第２周波数帯域が第１周波数帯域と異なる時、無線通信のために、前記第１周波数帯域及び前記第２周波数帯域を利用できる第１多重帯域無線ステーションが、無線通信のために、前記第１周波数帯域及び前記第２周波数帯域を利用できる第２多重帯域無線ステーションと前記第１周波数帯域上で無線リンクを形成する段階と、
前記第１周波数帯域を通じて前記第１ステーションが、前記第２周波数帯域の一つまたは以上のウェイクアップスケジュールを前記第２ステーションから受信する段階と、を含み、
前記一つまたはそれ以上のウェイクアップスケジュールは、前記第２ステーション及び／またはアクセスポイントのウェイクアップスケジュールを含み、
前記アクセスポイントは、前記第２周波数帯域で前記第２ステーションと結合されることを特徴とする無線通信方法。
【請求項３３】
前記第１周波数帯域は、
前記第２周波数帯域より低い周波数を持ち、前記第１周波数帯域は、前記第２周波数帯域より長い伝送距離を持つことを特徴とする請求項３２に記載の無線通信方法。
【請求項３４】
少なくとも部分的に前記受信されたウェイクアップスケジュールに基づいて、前記第１ステーションの前記ウェイクアップスケジュールを調整する段階をさらに含むことを特徴とする請求項３２に記載の無線通信方法。
【請求項３５】
少なくとも部分的に前記調整されたウェイクアップスケジュールに基づいて、前記第１ステーションが、前記第２周波数帯域を通じて前記アクセスポイント及び／または前記第２ステーションと通信する段階をさらに含むことを特徴とする請求項３４に記載の無線通信方法。
【請求項３６】
少なくとも部分的に前記受信されたウェイクアップスケジュールに基づいて、前記第１ステーション、前記第２ステーション、及び前記アクセスポイントのうち一つまたはそれ以上のために提案されたウェイクアップスケジュールを伝送する段階をさらに含むことを特徴とする請求項３２に記載の無線通信方法。
【発明の詳細な説明】
【技術分野】
【０００１】
本発明は、無線ネットワークに係り、さらに具体的には、多重チャネルを持つ無線ネットワークに関する。
【背景技術】
【０００２】
無線ネットワークシステムは、一般的に複数の無線ステーションを含む。これらの無線ステーションは、選択された一つの周波数を持つ無線チャネルを通じて互いに通信できる。
【０００３】
特定無線ステーションは、信号の伝送及び／または受信のために多重チャネルを利用してもよい。たとえば、一つの無線ステーションは、一つの高速（ｈｉｇｈ−ｒａｔｅ）チャネル（例えば、６０ＧＨｚチャネル）と一つの低速（ｌｏｗ−ｒａｔｅ）チャネル（２．４／５ＧＨｚチャネル）とを利用できる。かかる無線ステーションは、必要に応じてその２つのチャネルのうち一つのみ利用してもよく、その２つをいずれも利用してもよい。
【０００４】
普通、さらに高い伝送率のためには、複数のチャネルのうちさらに高い周波数チャネルを利用することが望ましい。しかし、複数のチャネルのうち該高周波チャネルは、特定時点で２つの無線ステーション間の伝送のために常に利用できるとはいえない。したがって、無線ステーション間の無線伝送を最適化するためには、多重チャネルの利用を管理する必要がある。
【発明の概要】
【発明が解決しようとする課題】
【０００５】
一実施形態で、無線通信のためのデバイスが存在する。前記デバイスは、無線通信のために第１周波数帯域を利用するように構成された第１アンテナシステムと、無線通信のために前記第２周波数帯域を利用するように構成された第２アンテナシステムと、を含む。
【課題を解決するための手段】
【０００６】
前記デバイスは、前記デバイス及び／または他の無線デバイスの前記第２周波数帯域に対する一つまたはそれ以上のウェイクアップスケジュールを含む情報を保存するように構成されたメモリと、信号が少なくても部分的に前記一つまたはそれ以上のウェイクアップスケジュールを含む時、前記第１周波数帯域上で既形成の無線リンクを通じて、前記信号を伝送及び／または受信するように構成された媒体接近制御（ＭＡＣ）階層と、をさらに含む。
【０００７】
さらに他の実施形態では、一つの無線通信システムがある。前記システムは、無線通信のために、前記第１周波数帯域及び前記第２周波数帯域を利用できる第１多重帯域無線ステーションを含む。第２周波数帯域は第１周波数帯域と異なる。前記システムはまた、無線通信のために第１周波数帯域及び第２周波数帯域を利用できる第２多重帯域無線ステーションを含む。一つまたはそれ以上の第１及び第２ステーションは、その内部に、一つまたはそれ以上の第１ステーション、第２ステーション及びアクセスポイントの第２周波数帯域の一つまたはそれ以上のウェイクアップスケジュールを維持管理するように設定されている。第１ステーション及び第２ステーションは、第１周波数帯域を通じて一つまたはそれ以上のウェイクアップスケジュールを互いに共有するように設定されている。
【０００８】
さらに他の実施形態には、一つの無線通信方法がある。前記方法は、無線通信のために、第１周波数帯域及び第２周波数帯域を利用できる第１多重帯域無線ステーションが、無線通信のために、第１周波数帯域及び第２周波数帯域を利用できる第２多重帯域無線ステーションと第１周波数帯域で無線リンクを形成する段階を含む。第２周波数帯域は、第１周波数帯域と異なる。前記方法はまた、第１ステーションが第２周波数帯域の一つまたはそれ以上のウェイクアップスケジュールを、第１周波数帯域を通じて第２ステーションに伝送する段階を含む。一つまたはそれ以上のウェイクアップスケジュールは、第１ステーション及び／またはアクセスポイントのウェイクアップスケジュールの一つを含む。アクセスポイントは、第２周波数帯域上で第１ステーションと結合する。
【０００９】
さらに他の実施形態には、一つの無線通信方法がある。前記方法は、無線通信のために、第１周波数帯域及び第２周波数帯域を利用できる第１多重帯域無線ステーションが、無線通信のために、第１周波数帯域及び第２周波数帯域を利用できる第２多重帯域無線ステーションと第１周波数帯域で無線リンクを形成する段階を含む。第２周波数帯域は、第１周波数帯域と異なる。前記方法はまた、第１ステーションが第２周波数帯域の一つまたはそれ以上のウェイクアップスケジュールを、第１周波数帯域を通じて第２ステーションから受信する段階を含む。一つまたはそれ以上のウェイクアップスケジュールは、第２ステーション及び／またはアクセスポイントのウェイクアップスケジュールの一つを含む。アクセスポイントは、第２周波数帯域で第２ステーションと結合する。
【発明の効果】
【００１０】
前記の実施形態の方法は、多重帯域ステーションをして、アクセスポイント及び／またはさらに他のステーションが睡眠モードにある間に不要なスキャニングを行わずに、アクセスポイント及び／またはさらに他のステーションの有用可能性をテスト可能にする。したがって、前記多重帯域ステーションは、結合されていない帯域上のアクセスポイントまたは他のステーションと効果的かつ迅速に結合可能になる。これらの方法はまた、大部分の無線デバイス、特にモバイルデバイスに重要な資源である電力を節約可能にする。
【図面の簡単な説明】
【００１１】
【図１】複数のサブネットワークを含む無線ネットワークの一例を示すブロックダイヤグラムである。
【図２】本発明の一実施形態による低速基本サービスセット及び高速基本サービスセットを含む、無線ネットワークに対するブロックダイヤグラムである。
【図３】本発明の一実施形態による高速及び低速通信能力を持つ一つの多重帯域無線デバイスを示すブロックダイヤグラムである。
【図４】本発明の一実施形態によって、多重帯域管理子を含む、図３の無線デバイスのＭＡＣ階層を示すブロックダイヤグラムである。
【図５Ａ】本発明の一実施形態による多重帯域無線デバイスによる無線通信の方法を示す図である。
【図５Ｂ】本発明の一実施形態による多重帯域無線デバイスによる無線通信の方法を示す図である。
【図５Ｃ】本発明の一実施形態による多重帯域無線デバイスによる無線通信の方法を示す図である。
【図５Ｄ】本発明の一実施形態による多重帯域無線デバイスによる無線通信の方法を示す図である。
【図６】本発明の一実施形態によるウェイクアップスケジュールのためのウェイクアップ情報要素を伝送する、多重帯域無線デバイスによる無線通信の方法を示すタイミングダイヤグラムである。
【図７Ａ】本発明の一実施形態によるアウェイクウィンドウについての情報を含む情報要素のうち一つのフレームフォーマットである。
【図７Ｂ】本発明の一実施形態によるウェイクアップスケジュールについての情報を含む情報要素のうち一つのフレームフォーマットである。
【図８】一実施形態によるウェイクアップスケジュール上で作動する、多重帯域無線デバイスの無線通信の方法を示すタイミングダイヤグラムである。
【図９】一実施形態によるウェイクアップスケジュールを利用する無線通信の方法を示すフローチャートである。
【発明を実施するための形態】
【００１２】
次の特定実施形態についての詳細な説明は、発明の特定実施形態についての多様な説明を提示している。しかし、本発明は請求項が定義かつ含めている多くの異なる方法で実施できる。本説明には図面に対する参照があり、類似した参照番号は、同一または機能的に類似した要素を表示している。
【００１３】
本出願書の説明で利用される用語は、該当用語が発明の特定実施形態の詳細な説明に結合されて利用されているという理由だけで、制限または限定される意味を持つと解釈されるように意図されていない。さらに、発明の実施形態は色々な新規の特徴を含むことができ、それらは、前記発明の望ましい属性を単独で担当するか、または、ここに記載された発明を実施するところに必須の事項ではない。発明を具現するには、多様なプロセッサー、メモリ、コンピュータで読み取り可能な記録媒体及びプログラムを利用できる。
【００１４】
無線ネットワークに対する概観
図１に関しては、無線ネットワークの一例が後述される。無線ネットワーク１は、複数のサブネットワーク１０、２０、３０及び一つのネットワークバックボーンを含んでいる。ネットワーク１の例示された部分は３つのサブネットワークを含んでいるが、通常の技術者ならば、前記ネットワークがさらに多い、あるいはさらに少ないサブネットワークを含むことができるという点を理解できるであろう。
【００１５】
各サブネットワーク１０、２０、３０は、アクセスポイント１１０、２２０、１３０と、一つまたはそれ以上の無線ステーションまたはデバイス１１１〜１１４、１２１〜１２６、１３１〜１３４とを含む。各アクセスポイント１１０〜１３０は、一つの無線通信プロトコルによって、各サブネットワーク内にある一つまたはそれ以上の無線ステーションと無線通信を行える。アクセスポイント１１０〜１３０はまた、有線または無線チャネル５０を通じてネットワークバックボーンと連結されている。各アクセスポイント１１０〜１３０は、それぞれのサブネットワーク１０〜３０内にあるステーション間の通信、または各サブネットワーク内の一ステーションと他のサブネットワーク内の一ステーションとの間の通信を提供できる。アクセスポイントという用語は、本文書で調整者（ｃｏｏｒｄｉｎａｔｏｒ）と称する。かかるアクセスポイントを含んでいるネットワークは、インフラストラクチャーと称する。本文書の文脈上、アクセスポイントと、アクセスポイントを相手に通信する非アクセスポイントステーションとは、総称して基本サービスセットと称する。
【００１６】
一つまたはそれ以上の無線ステーション１１１〜１１４、１２１〜１２６、１３１〜１３４は、アクセスポイントが無線で通信できるカバレッジ領域内に位置している。一つまたはそれ以上のステーション１１１〜１１４、１２１〜１２６、１３１〜１３４は、一つまたはそれ以上のアクセスポイント１１０、１２０、１３０に無線で連結できる電子デバイスでありうる。これらの電子デバイスは次のものを含むが、それに制限されるものではない：携帯電話、スマートフォン、電話機、テレビ、セットトップボックス、コンピュータモニタ、コンピュータ、携帯用コンピュータ、電子ブックデバイス、個人携帯情報端末機（ＰＤＡ）、電子レンジ、冷蔵庫、オーディオ、カセットレコーダまたはプレーヤー、ＤＶＤプレーヤーまたはレコーダ、ＣＤプレーヤーまたはレコーダ、ＶＣＲ、デジタルビデオレコーダ（ＤＶＲ）、ＭＰ３プレーヤー、ラジオ、カムコーダ、カメラ、デジタルカメラ、携帯用メモリチップ、洗濯機、乾燥器、洗濯乾燥器、複写機、ファクシミリ、スキャナー、複合機、腕時計、壁掛け時計、ゲーム装置。特定構成では、一つまたはそれ以上のステーションが２つまたはそれ以上のサブネットワークに所属されている。特定実施形態では、アクセスポイント１１０、１２０、１３０のうち少なくとも一つが、かかる電子デバイスの部分でありうる。
【００１７】
ネットワークバックボーン４０は、サブネットワーク１０、２０、３０を互いに連結させる役割を行いつつ、前記サブネットワーク間に情報交換のための経路を提供する。ネットワークバックボーン４０は、さらに他のネットワークと通信するためにさらに他のバックボーンと連結される。
【００１８】
一実施形態で、サブネットワーク１１０〜１３０は同じ通信プロトコルを遵守できる。他の実施形態で、サブネットワーク１１０〜１３０のうち一つは、他のサブネットワークが利用するプロトコルと異なる通信プロトコルを遵守できる。いずれかの実施形態で、サブネットワーク１１０〜１３０が互いに異なる周波数帯域を利用できる。特定構成で、アクセスポイント及びステーションがＩＥＥＥ  ８０２．１１標準を遵守できる。一実施形態で、ネットワーク１が一つの広域通信網（Ｗｉｄｅ  Ａｒｅａ  Ｎｅｔｗｏｒｋ、ＷＡＮ）を形成し、それぞれのサブネットワーク１０〜３０は、それぞれ一つの近距離通信網（Ｌｏｃａｌ  Ａｒｅａ  Ｎｅｔｗｏｒｋ、ＬＡＮ）を形成できる。さらに他の実施形態で、ネットワーク１が近距離通信網（ＬＡＮ）を形成できる。特定実施形態で、サブネットワーク１１０〜１３０のうち少なくとも一つは、アクセスポイントのない一つのアドホックネットワークを形成できる。
【００１９】
高速チャネルを利用する無線ネットワーク
ある実施形態で、一つの無線ステーションまたはデバイスは、データまたは制御信号の伝送及び／または受信のために複数のチャネルを利用できる。かかる無線ステーションまたはデバイスは、本文書の文脈上、多重帯域ステーションまたはデバイスと称する。本文書で“チャネル”という用語は、“帯域”、“周波数帯域”または“周波数”と交互に利用できる。例えば、多重チャネルは２．４／５ＧＨｚ（例えば、現在ＷｉＦｉ帯域）、６０ＧＨｚ、ブルートゥース帯域（２．４ＧＨｚ）、及びテラヘルツを含むが、それに制限されない２つまたはそれ以上のチャネルを含む。
【００２０】
一実施形態で、一つの無線ステーションは２つのチャネル、すなわち、一つの高速チャネル（ｈｉｇｈ−ｒａｔｅ  ｃｈａｎｎｅｌ、ＨＲＣ）と一つの低速チャネル（ｌｏｗ−ｒａｔｅ  ｃｈａｎｎｅｌ、ＬＲＣ）とを持つ。“高速チャネル”という用語は、“高周波数チャネル”、“高周波数帯域”、“高速帯域”または“高い帯域”と交互に利用できる。“低速チャネル”という用語は、本文書で“低周波数チャネル”、“低周波数帯域”、“低速帯域”または“低い帯域”と交互に利用できる。
【００２１】
高速チャネルは、低速チャネルより短距離を持つ。高速チャネルが指向性である一方、低速チャネルは指向性であるか、または全方向性でありうる。チャネルは、他のアンテナシステムを利用することで指向性または全方向性になるように設定される。本文書の文脈上、“指向性チャネル”と“全方向性チャネル”とは、それぞれ“指向的伝送／受信容量”と“全方向的伝送／受信容量”と交互に利用できる。
【００２２】
一実施形態で、高速チャネルは、約６ＧＨｚ〜約３００ＧＨｚのうち一つの周波数を持つ。かかる周波数は、超高周波（ｅｘｔｒｅｍｅｌｙ  ｈｉｇｈ  ｆｒｅｑｕｅｎｃｙ、ＥＨＦ）を含む。高速チャネルは、６０ＧＨｚミリメートル無線波により維持される一つの６０ＧＨｚチャネルでありうる。一実施形態で、室内環境で一つの６０ＧＨｚチャネルの通信距離は概略１０メートルでありうる。他の実施形態では、高速チャネルは３００ＧＨｚ〜３ＴＨｚのうち一つのテラヘルツ周波数を利用できる。
【００２３】
低速チャネルは、６ＧＨｚ未満の周波数を持つ一つチャネルでありうる。一実施形態で、低速チャネルは、無線近距離通信網（Ｗｉｒｅｌｅｓｓ  Ｌｏｃａｌ  Ａｒｅａ  Ｎｅｔｗｏｒｋ、ＷＬＡＮ）を維持する２．４ＧＨｚまたは５ＧＨｚのうち一つのチャネルでありうる。低速チャネルのインターフェースは、ＩＥＥＥ  ８０２．１１を遵守できる。一実施形態で、室内環境で６ＧＨｚより低い周波数を利用する低速チャネルは、約２０メートルから約１００メートルに至る通信距離を持つことができる。
【００２４】
ある実施形態で、一つの多重帯域ステーションは、相異なる周波数のチャネルを利用する複数のインフラストラクチャーネットワークの一部でありうる。図２と関連して、かかる複数のインフラストラクチャーネットワークの一実施形態が後述される。図示された無線システム２００は、一つの低速（ｌｏｗ−ｒａｔｅ、ＬＲ）インフラストラクチャーネットワーク２１０、一つの第１高速（ｈｉｇｈ−ｒａｔｅ、ＨＲ）インフラストラクチャーネットワーク２２０ａ、及び一つの第２高速インフラストラクチャーネットワーク２２０ｂを含む。
【００２５】
常時低速ネットワーク２１０は、第１高速ネットワーク２２０ａ及び第２高速ネットワーク２２０ｂと重畳する。低速ネットワーク２１０は、データまたは制御信号の伝送に当って高速ネットワーク２２０ａ、２２０ｂより低速のチャネルを利用するため、高速ネットワーク２２０ａ、２２０ｂよりさらに広いカバレッジを持つ。第１高速ネットワーク２２０ａと第２高速ネットワーク２２０ｂとは、相互間の距離によって互いに重畳しない。低速ネットワーク２１０は一つの低速アクセスポイント２１５を含む。第１高速ネットワーク及び第２高速ネットワーク２２０ａ、２２０ｂは、それぞれ第１アクセスポイント及び第２の高速アクセスポイントを含む。第１高速アクセスポイント２２５ａはまた、本文書の文脈上、第１個人基本サービスセット（ｐｅｒｓｏｎａｌ  ｂａｓｉｃ  ｓｅｒｖｉｃｅ  ｓｅｔ、ＰＢＳＳ）制御ポイント（ｃｏｎｔｒｏｌ  ｐｏｉｎｔ、ＰＣＰ）と称する。第２高速アクセスポイント２２５ｂはまた、本文書の文脈上、第２個人基本サービスセット（ＰＢＳＳ）制御ポイント（ＰＣＰ）と称する。
【００２６】
前記システム２００はまた、一つの第１多重帯域ステーション２３０と一つの第２多重帯域ステーション２４０とを含む。図示された例で、前記第１多重帯域ステーション２３０は、低速チャネルを利用する時に前記低速アクセスポイント２１５と結合されて低速ネットワーク２１０の部分になる。前記第１多重帯域ステーション２３０はまた、高速チャネルを利用する時に第１高速アクセスポイント２２５ａと結合されて第１高速ネットワーク２２０ａの部分になる。前記第２多重帯域ステーション２４０は、低速チャネルを利用する時に前記低速アクセスポイント２１５と結合されて低速ネットワーク２１０の部分になる。前記第２多重帯域ステーション２４０はまた、高速チャネルを利用する時に第２高速アクセスポイント２２５ｂと結合されて第２高速ネットワーク２２０ｂの部分になる。
【００２７】
図２に示した実施形態で、低速チャネルを利用するデバイス（例えば、低速アクセスポイント２１５、第１ステーション２３０及び第２ステーション２４０を含む低速ネットワーク２１０）は、一つの低速基本サービスセット（ｌｏｗ−ｒａｔｅ  ｂａｓｉｃ  ｓｅｒｖｉｃｅ  ｓｅｔ、ＬＲＢＳＳ）と称する。高速チャネルを利用するデバイス（例えば、第１高速アクセスポイント２２５ａ及び第１ステーション２３０を含む第１高速ネットワーク２２０ａ）は、第１高速基本サービスセット（ｆｉｒｓｔ  ｈｉｇｈ−ｒａｔｅ  ｂａｓｉｃ  ｓｅｒｖｉｃｅ  ｓｅｔ、ＨＲＢＳＳ１）と称する。第１高速ネットワーク２２０ａのように、高速チャネルを利用するデバイス（例えば、第２高速アクセスポイント２２５ｂ及び第２ステーション２４０を含む第２高速ネットワーク２２０ｂ）は、第２高速基本サービスセット（ｆｉｒｓｔ  ｈｉｇｈ−ｒａｔｅ  ｂａｓｉｃ  ｓｅｒｖｉｃｅ  ｓｅｔ、ＨＲＢＳＳ２）と称する。
【００２８】
作動中に、低速アクセスポイント２１５は、低速チャネルを通じて第１ステーション及び第２ステーション２３０、２４０のうち一つまたは２つとも通信できる。一実施形態で、第１ステーション及び第２ステーションは、結合プロセスを行うことで低速アクセスポイント２１５と通信を始めることができる。特定実施形態で、低速アクセスポイント２１５は、ネットワーク２１０内にあるデバイスが利用できる伝送スケジュールを知らせるために、周期的に低速ビーコン信号を伝送できる。
【００２９】
本文書の文脈上、“結合”という用語は、一つのアクセスポイントと一つの非アクセスポイントステーションとの間に、または非アクセスポイントステーションの間に一つのリンクを形成する過程を称する。一実施形態で、前記結合プロセスは、非アクセスポイントステーションが一つのネットワークに参加するように許諾する。前記結合プロセスは、一つのアクセスポイントと一つの非アクセスポイントステーションとの間に、結合要請と結合応答とを交換する過程を含む。前記結合プロセスはまた、該当過程に参加するデバイスを認証する過程を含むこともできる。特定実施形態で、高速チャネルのための結合プロセスは、指向的伝送のためのビームフォーミング過程を含む。他の実施形態で、結合プロセスは制御フレーム、ビームフォーミング、及び／または認証の交換に参加できる２つの非アクセスポイントステーション間の一つリンクを形成する過程を称することもある。
【００３０】
第１ステーション２３０及び第２ステーション２４０は、低速アクセスポイント２１５を通じて低速チャネル上で互いに通信できる。さらに他の実施形態で、第１ステーション２３０及び第２ステーション２４０は、低速アクセスポイント２１５を利用せず、直接リンクまたはピアツーピアリンクを通じて、低速チャネル上で互いに直接通信できる。
【００３１】
ある実施形態で、第１高速アクセスポイント２２５ａは、ネットワーク２２０ａ内のデバイスにより利用される伝送スケジュールを知らせるために、周期的に第１ビーコン信号を伝送できる。第１ビーコン信号は、高速チャネル上で伝送され、指向的である。第１ビーコン信号は、デバイスが第１高速ネットワーク２２０ａのカバレッジ内にあるかどうかを決定するために、該当デバイスにより利用される。デバイスが第１高速ネットワーク２２０ａ内にあると決定されれば、そのデバイスは、結合プロセスを行うことで第１高速アクセスポイント２２５ａとの通信を始める。第１高速アクセスポイント２２５ａと結合されたデバイスは、第１高速アクセスポイント２２５ａを通じるか、または直接方式で互いに高速チャネル上で通信できる。
【００３２】
同様に、第２高速アクセスポイント２２５ｂは、ネットワーク２２０ｂ内のデバイスにより利用される伝送スケジュールを知らせるために、周期的に第２ビーコン信号を伝送できる。第２ビーコン信号は、高速チャネル上で伝送され、指向的である。第２ビーコン信号は、第１ビーコン信号と異なる情報を含み、デバイスが第２高速ネットワーク２２０ｂのカバレッジ内にあるかどうかを決定するために、該当デバイスにより利用される。デバイスが第２高速ネットワーク２２０ｂ内にあると決定されれば、そのデバイスは、結合プロセスを行うことで第２高速アクセスポイント２２５ｂとの通信を始める。第２高速アクセスポイント２２５ｂと結合されたデバイスは、第２高速アクセスポイント２２５ｂを通じるか、または直接方式で互いに高速チャネル上で通信できる。
【００３３】
前記図示された例で、第１ステーション２３０は第１高速基本サービスセット２２０ａのカバレッジ内にあり、第１高速アクセスポイント２２５ａと結合される。第２ステーション２４０は、第２高速基本サービスセット２２０ｂのカバレッジ内にあり、第２高速アクセスポイント２２５ｂと結合される。特定実施形態で、前記多重帯域ステーション２３０、２４０は、第１アクセスポイント２２５ａまたは第２高速アクセスポイント２２５ｂとの結合なしに一つの分散モードで作動できる。
【００３４】
前記図示された例で、第１ステーション２３０及び第２ステーション２４０は低速チャネルで互いに通信でき、その両者間の距離によって高速チャネルでは通信できない。しかし、第１ステーション２３０及び第２ステーション２４０のうち一つまたは２つがいずれも、高速チャネルを通じて互いに通信できるほど十分に近い距離に再配置されるならば、前記２つのステーションも高速チャネル上で通信できる。
【００３５】
図３については、一実施形態によって、一つの高速チャネルまたは一つの低速チャネルを通じて、一つまたはそれ以上のステーションまたはアクセスポイントと通信できる一つの多重帯域無線ステーションが後述される。前記図示された無線ステーション３００は、一つの伝送器としての役割を行える。前記無線ステーション３００は、一つのアプリケーション階層３１０、一つの媒体接近制御（ＭＡＣ）階層３２０、物理（ＰＨＹ）階層３３０、及び一つの第１アンテナシステム３４２と第２アンテナシステム３４４とを含む。
【００３６】
前記アプリケーション階層３１０は、一つのデータ前処理モジュール３１２及び一つのデータ制御モジュール３１４を含む。前記データ前処理モジュール３１２は、データ分割などのデータ前処理作業を行える。前記データ制御モジュール３１４は、容量情報などのデータ処理情報を交換できる一つの標準方式を提供する。例えば、連結が始まる前に、データ制御モジュール３１４は利用されるデータフォーマットを協議し、連結の必要が終了した時に、データ制御命令語を利用して連結を中止する。
【００３７】
前記ＭＡＣ階層３２０は、一つの制御平面３２２、一つの管理平面３２４、一つの高速データ平面３２６、及び一つの低速データ平面３２８を含む。前記制御平面３２２は、前記ステーション３００がデータへの接近をどのように獲得するかを制御し、またネットワーク上で前記データを伝送できる権限を制御する役割を行う。一実施形態で、少なくとも一つの制御平面３２２は、それぞれ高速チャネル及び低速チャネル上で接近制御を提供できるように、一つの高速制御平面及び一つの低速平面を含む。さらに、管理平面３２４は、それぞれ高速チャネル及び低速チャネル上でチャネル管理を提供できるように、一つの高速管理平面及び一つの低速管理平面を含む。
【００３８】
前記高速データ平面３２６は、高速チャネル３５２上で高速伝送に好適なパケットを形成するように、アプリケーション階層３１０からのデータを処理する役割を行う。前記低速データ平面３２８は、低速チャネル３５４上で低速伝送に好適なパケットを形成するように、アプリケーション階層３１０からのデータを処理する役割を行う。一実施形態で、高速データ平面３２６と低速データ平面３２８いずれもデータ伝送時に制御平面３２２及び管理平面３２４を利用できる。他の実施形態で、高速データ平面３２６と低速データ平面３２８とは、それぞれ専用制御及び管理平面を含む。
【００３９】
前記物理階層３３０は、ＭＡＣ階層３２０からのパケットをさらに処理するか、及び／または制御する役割を行う。図示された物理階層３３０は、一つの高速（ＨＲ）物理モジュール３３２と、一つの低速（ＬＲ）物理モジュール３３４とを含む。高速物理モジュール３３２は、データパケットに物理ヘッダを追加して、第１アンテナシステムを通じて高速チャネル３５２上にパケットにＬ送る。第１アンテナシステム３４２は、指向的伝送及び／または受信を行える。前記低速物理モジュール３３２は、ＭＡＣ階層３２０からの制御またはデータパケットに物理ヘッダを追加して、第２アンテナシステム３４４を通じて低速チャネル３５４上でパケットを送る。第２アンテナシステムは、全方向伝送及び／または受信と、方向性伝送及び／または受信とを行える。特定実施形態で、第２アンテナシステム３４４は、デフォルトとして全方向的伝送／受信を行い、選択的に指向的伝送／受信を提供するように設定されている。
【００４０】
択一的に、図示された無線ステーション３００は受信機の役割も行える。受信機の役割を行う場合、他のステーションから無線チャネル上に伝送されてきたデータパケットからデータを再生するために、前記ステーション３００のアプリケーション階層３１０、ＭＡＣ階層３２０、及び物理階層３３０は、各階層３１０〜３３０の逆処理方法を行える。通常の技術者ならば、前記ステーションが、前述したように高速チャネル及び低速チャネルを通じてデータ及び制御情報を伝送できるかぎり、該当ステーションの設計によって該当ステーションの設定は非常に多様であるという点を理解できるであろう。
【００４１】
図４については、一実施形態による多重帯域無線ステーション（例えば、図２の第１ステーション２３０及び第２ステーション２４０のＭＡＣ階層が後述される。図示されたＭＡＣ階層３２０は、図３のＭＡＣ階層３２０の一つまたはそれ以上のコンポーネント３２２、３２４、３２６、３２８以外にも、さらに一つの多重帯域管理子４００も含む。
【００４２】
前記多重帯域管理子４００は、少なくとも部分的に多重帯域情報４３０に基づいて、複数帯域の利用を管理する役割を行う。前記多重帯域情報４３０は、多重帯域ステーション自体の保存デバイス（例えば、メモリ、半導体ディスク、及び／またはハードディスク）に保存される。多重帯域情報４３０の少なくとも一部は、前記多重帯域ステーションにより提供または更新される。また、多重帯域情報４３０の少なくとも一部は、さらに他の無線ステーションまたはアクセスポイントにより提供または更新される。
【００４３】
ある実施形態で、アクセスポイント及び／または非アクセスポイント無線ステーションは、省力のために活性モードと非活性モードとの間を周期的に転換できる。“活性モード”という用語はまた、“アウェイクモード”または“正常モード”と称することもできる。“非活性モード”はまた、“睡眠モード”、“ドーズモード”または“省電源モード”と称することもできる。かかる実施形態で、多重帯域情報４３０は、一つまたはそれ以上のアクセスポイント及び非アクセスポイントステーションのウェイクアップ周期またはスケジュールについての情報を含む。
【００４４】
前記図示された実施形態で、多重帯域管理子４００は、一つの高速セッション転換モジュール４１０と、一つのウェイクアップ周期モニタモジュール４２０とを含む。前記ウェイクアップ周期モニタモジュール４２０は、少なくとも部分的に多重帯域情報４３０に基づいて、自身のウェイクアップ周期またはスケジュールと、一つまたはそれ以上の多重帯域上にある一つまたはそれ以上のアクセスポイント及び他の非アクセスポイントステーションのウェイクアップ周期またはスケジュールをモニタリングできる。ウェイクアップ周期モニタモジュール４２０を含んで前記多重帯域ステーションの動作に対するその他詳細な内容は図５Ａ−９と連結して後述される。
【００４５】
前記高速セッション転換モジュール４１０は、少なくとも部分的に帯域の可用性とアクセスポイント及び／または他の無線ステーションのウェイクアップ周期またはスケジュールに基づいて、複数の帯域の間で伝送を転換できる。例えば、第１ステーション２３０（図２）が低速帯域を利用して第２ステーション２４０（図２）と通信している間に、第２ステーション２４０との通信のために高速帯域が有用可能であり、第２ステーション２４０がアウェイク状態である場合、第１ステーション２３０は高速帯域に転換できる。通常の技術者ならば、前記モジュール４１０、４２０が図４に示したものに制限されず、多様なソフトウェア及び／またはハードウェアコンポーネントを利用して具現できるということを理解できるであろう。
【００４６】
一実施形態で、図２の低速アクセスポイント２１５は、低速チャネル上で信号を処理、伝送、受信できるように設定された一つのアプリケーション階層、一つのＭＡＣ階層、及び一つの物理階層を含む。図２の高速アクセスポイント２２５ａ、２２５ｂは、それぞれ高速チャネル上で信号を処理、伝送、受信できるように設定された一つのアプリケーション階層、一つのＭＡＣ階層、一つの物理階層を含む。通常の技術者ならば、前記低速アクセスポイント２１５及び高速アクセスポイント２２５ａ、２２５ｂと共に利用できるように、アクセスポイントに多様な設定が調整できるという点を理解できるであろう。
【００４７】
多重帯域無線ネットワークにおけるウェイクアップ調整
一つの多重帯域無線システムは、無線ステーション相互間の無線通信のために、それぞれ多重帯域を利用できる多重帯域無線ステーションを含む。前記多重帯域は、相異なる特性（例えば、カバレッジ、信号強度）を持つことができるため、前記多重帯域無線ステーションは、特定時点で無線通信のために前記多重帯域のうち一部のみを有用でき、他の一部は有用できない可能性もある。
【００４８】
かかる場合に、前記ステーションは可用帯域のうち一つを通じて互いに結合して、前記ステーション間の通信のために該当帯域を利用できる。例えば、前記ステーションは低い周波数一つを通じて互いに結合できる。本文書の文脈上、多重帯域ステーションが相互間の通信のために現在利用している帯域を“結合された帯域（ａｓｓｏｃｉａｔｅｄ  ｂａｎｄ）”と称する。一方、多重帯域ステーションが相互間の通信のために現在利用していない帯域を“結合されていない帯域（ｕｎａｓｓｏｃｉａｔｅｄｂａｎｄ）”と称する。しかし、該当結合されていない帯域が可用状態になる時、さらに高い速度のデータ伝送のために結合されていない帯域（例えば、さらに高い周波数帯域）を利用することが望ましい。したがって、多重帯域の状態及び／または有用可能性を持続的に追跡する必要がある。
【００４９】
一実施形態で、２つまたはそれ以上の多重帯域無線ステーションは、多重帯域のうち一つの第１（結合された）帯域上で互いに結合することで、通信のための一つのリンクまたは連結を形成できる。前記多重帯域無線ステーションは、前記ステーション間に現在リンクが形成されていない一つの第２（結合されていない）帯域の情報を交換できる。前記情報の交換は、前記第１（結合された）帯域上で行われる。前記交換された情報に基づいて、前記ステーションは相互間のデータ伝送のために第２（結合されていない）帯域が今は有用であるかどうかを決定でき、第２帯域が利用可能な場合に第２帯域に転換できる。
【００５０】
ある実施形態で、アクセスポイント及び非アクセスポイント無線ステーションは、省力のために、一つまたはそれ以上のウェイクアップスケジュールによってアウェイクモードと睡眠モードとを周期的に転換できる。特定実施形態で、一つの多重帯域無線システム（例えば、図２のシステム２００）にあるアクセスポイントと非アクセスポイントステーションとは、互いに相異なるウェイクアップスケジュールを持つ省力方式を利用できる。さらに、それぞれのアクセスポイント及び無線ステーションは、それぞれが利用できる多重帯域に対する独立したウェイクアップスケジュールを持つ。
【００５１】
前記実施形態で、アクセスポイントとステーションのうちいずれか２つが第１（結合された）帯域上でリンクを形成すれば、前記２つのデバイスのうち一つまたは２つとも第２（結合されていない）帯域上で睡眠モード状態でありうる。例えば、低い周波数帯域上でリンクを形成した２つの多重帯域ステーションは、前記低い周波数帯域で活性状態でありつつ、前記ステーションのうち一つまたは２つとも高い周波数帯域上では睡眠モードにありうる。かかる場合、いずれかのステーションが結合されていない帯域上で睡眠モードにあるアクセスポイントと結合しようとするか、または結合されていない帯域上で睡眠モードにあるさらに他のステーションとリンクを形成しようとする試みをする場合、該当試みは成功しない。さらに、前記アクセスポイント及び／または他のステーションのウェイクアップスケジュールについての情報を持っていなければ、該当ステーションはアウェイクモード状態で、前記アクセスポイントまたは他のステーションと成功的に通信をするまで複数回の連結試みをする必要がある。これは、長時間がかかるだけでなく電力を消費し、それによりステーションの性能に悪影響を及ぼす。したがって、多重帯域無線システムでは、予めウェイクアップスケジュールについての情報を交換する必要がある。
【００５２】
一実施形態で、多重帯域無線システムにある非アクセスポイント無線ステーションは、一つの結合されていない帯域を利用して、システム内のアクセスポイント及び／または非アクセスポイントステーションの結合されていない帯域のウェイクアップスケジュールについての情報を共有する。さらに、結合されていない帯域上の前記アクセスポイントは、かかる情報を非アクセスポイントステーションと共有できる。さらに他の実施形態で、非アクセスポイント無線ステーションは結合された帯域を利用して、システム内の非アクセスポイントステーションの結合されていない帯域のアウェイクウィンドウについての情報を共有できる。非アクセスポイントステーションは互いにかかる情報を共有できる。
【００５３】
ある実施形態で、結合されていない帯域上の前記アクセスポイントは、一つまたはそれ以上のステーションとの結合を容易にするために、結合されていない帯域の自体ウェイクアップ義務周期を調節できる。無線ステーションの一部もステーション間のリンクセットアップを容易にするために、結合されていない帯域の自体ウェイクアップ義務周期を調節できる。なお、無線ステーションの一部はステーション間のリンクセットアップを容易にするために、結合されていない帯域の自体アウェイクウィンドウを調節できる。かかる方式は、多重帯域無線システムにあるステーションがアクセスポイントと効果的かつ迅速に結合し、互いにリンクを形成可能にすることで、省力できる。
【００５４】
図５Ａないし図５Ｄについては、一実施形態によって、多重帯域ネットワークにある多重帯域ステーション間の無線通信をする一つの方法が後述される。図５Ａに示したように、第１多重帯域ステーション２３０及び第２多重帯域ステーション２４０は低速ネットワーク２１０内にある。第１ステーション２３０及び第２ステーション２４０は低速アクセスポイント２１５との結合プロセスを行って、現在低速アクセスポイント２１５と低速帯域（またはチャネル）上で連結されている。本文書の文脈上、かかるネットワークは低速基本サービスセット（ｌｏｗ−ｒａｔｅ  ｂａｓｉｃ  ｓｅｒｖｉｃｅ  ｓｅｔ、ＬＲＢＳＳ）と称することもある。
【００５５】
同じ時間に、第１ステーション２３０は第１高速ネットワーク２２０ａ内に存在する。第２ステーション２４０は第２高速ネットワーク２２０ｂ内に存在する。第１ステーション２３０は第１高速アクセスポイント２２５ａとの結合プロセスを行い、現在高速帯域（またはチャネル）上で第１高速アクセスポイント２２５ａと連結されている。本文書の文脈上、かかるネットワークは第１高速基本サービスセット（ｈｉｇｈ−ｒａｔｅ  ｂａｓｉｃ  ｓｅｒｖｉｃｅ  ｓｅｔ、ＨＲＢＳＳ１）と称する。
【００５６】
第２ステーション２４０は、第２高速アクセスポイント２２５ｂとの結合プロセスを行って、現在第１高速基本サービスセット（ＨＲＢＳＳ１）でと同じ高速帯域（またはチャネル）上で第２高速アクセスポイント２２５ｂと連結されている。アクセスポイント２１５、２２５ａ、２２５ｂ及びステーション２３０、２４０についてのその他の詳細な事項は、図２と連結して前述した通りである。
【００５７】
第１高速ネットワーク２２０ａと第２高速ネットワーク２２０ｂとの間には重なる領域がないため、第１ステーション２３０と第２ステーション２４０とは、高速帯域上で互いに通信できない。しかし、第１ステーション２３０及び第２ステーション２４０は、低速アクセスポイント２１５と低速帯域上で結合されており、したがって、第１ステーション２３０及び第２ステーション２４０は、前記低速帯域上でリンクを形成できる。前記リンクは、例えば、ピアツーピア（Ｐ２Ｐ）連結、またはＩＥＥＥ  ８０２．１１標準下で直接連結される。“直接連結”という用語は、一つの非アクセスポイント（ｎｏｎ−ＡＰ）サービス品質（ＱｏＳ）ステーションから、ＱｏＳアクセスポイントを通過しない同じインフラストラクチャーＱｏＳ基本サービスセット（ＢＳＳ）内にあるさらに他のｎｏｎ−ＡＰ  ＱｏＳステーションへの双方向連結を称する。一旦、直接連結がセットアップされてからは、両ｎｏｎ−ＡＰ  ＱｏＳステーションの間にあらゆるフレームが直接交換される。
【００５８】
本文書の文脈上、多重帯域ステーションが互いに通信のために現在利用中の帯域は、“結合された帯域”と称する。例えば、図５Ａの低速帯域は、結合された帯域になりうる。一方、多重帯域ステーションが互いに通信のために現在利用していない帯域は（まだ互いに結合が形成されていないため）、“結合されていない帯域”と称することもできる。例えば、図５Ａの高速帯域は、結合されていない帯域でありうる。一つの帯域は次のものを含むが、それに制限されるものではない多様な原因によって、多重帯域ステーション間の通信のために利用されないこともある：例えば、リンク品質不良（例えば、ビットエラー率（ＢＥＲ）、信号対干渉ノイズ比（Ｓｉｇｎａｌ  ｔｏ  Ｉｎｔｅｒｆｅｒｅｎｃｅ  ａｎｄ  Ｎｏｉｓｅ  Ｒａｔｉｏ、ＳＩＮＲ）、受信信号強度（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）、及びその他の同種のもの）、データ伝送速度、高いチャネルロードによる低い有効有用可能時間、相異なるアウェイクスケジュール、及び分離距離。
【００５９】
図示された実施形態で、それぞれの第１高速アクセスポイント２２５ａ及び第２高速アクセスポイント２２５ｂ、第１ステーション２３０、第２ステーション２４０は、ウェイクアップスケジュールによってアウェイクモードと睡眠モードとを周期的に転換できる。一つまたはそれ以上の第１高速アクセスポイント２２５ａ及び第２高速アクセスポイント２２５ｂ、第１ステーション２３０、及び第２ステーション２４０は、互いに異なる高速帯域ウェイクアップスケジュールを持つ。
【００６０】
このような実施形態で、第１ステーション２３０及び第２ステーション２４０は、結合された（低速）帯域上で結合されていない（高速）帯域の状態に関する情報を交換できる。前記情報は、高速アクセスポイント２２５ａ、２２５ｂ、第１ステーション２３０、及び第２ステーション２４０の結合されていない（高速）帯域のウェイクアップスケジュールについての情報を含む。前記情報についての詳細な内容は、図６、図７Ａ及び７Ｂと連結されて後述される。
【００６１】
一実施形態で、ウェイクアップスケジュールについての前記情報は、ステーション２３０、２４０間の低速（利用中の）帯域上で周期的に生成されて伝送される。さらに他の実施形態で、前記情報は、ステーション２３０、２４０のうち一つの要請によって、その他の一つにより生成されて伝送される。さらに、前記情報に変更がある時に、前記情報はステーション２３０、２４０の間で伝送される。特定実施形態では、前記情報に変更がある時にのみステーション２３０、２４０の間で伝送される。かかる実施形態では、状態情報が周期的に伝送される時よりさらに少量の電力がステーションにより消耗される。
【００６２】
図５Ｂについて、第１ステーション２３０が第２高速アクセスポイント２２５ｂ側にさらに近く移動して、第１ステーション２３０が第２高速ネットワーク２２０ｂの距離内にあり、これ以上第１高速ネットワーク２２０ａ内に位置しなくなった。第１ステーション２３０は、少なくとも部分的に第２高速アクセスポイント２２５ｂのウェイクアップスケジュール情報に基づいて、第２高速アクセスポイント２２５ｂがアウェイクの期間中に、第２高速アクセスポイント２２５ｂと成功的に結合できる。したがって、第１ステーション２３０は、アクセスポイント２２５ｂが非活性化状態にある間に第２高速アクセスポイント２２５ｂとの結合を試みることを回避でき、これで電力の消費を予防する。
【００６３】
図５Ｃについては、第１ステーション２３０は少なくとも部分的に第２ステーション２４０のウェイクアップスケジュール情報に基づいて、第２ステーション２４０がアウェイクの期間中に、結合されていない（高速）帯域上でリンクを形成するための要請を第２ステーション２４０に送る。したがって、第１ステーション２３０は、第２ステーション２４０が非活性化している間に第２ステーション２４０との結合を試みることを回避でき、これにより電力の消費を予防する。一実施形態で、第１ステーション２３０と第２ステーション２４０との間のリンクは直接リンクでありうる。さらに他の実施形態で、第１ステーション２３０と第２ステーション２４０との前記連結は、低速アクセスポイント２１５を通じて形成されることもある。
【００６４】
第１ステーション２３０と第２ステーション２４０との間に高速バンド上で一つのリンクが形成されてからは、ステーション２３０、２４０のうち一つまたは２つとも低速帯域から高速帯域へのセッション転換がトリガーされるかどうかを決定できる。前記決定は少なくとも部分的に、例えば、伝送チャネルの変更がさらに効率的であるかどうかに基づく。伝送の効率性は、多様な要因（例えば、新規結合されていないＢＳＳからのビーコン品質がＳＮＲ許容限界を満たすかどうか）に基づいて、多重帯域管理子により決定される。一実施形態で、かかる過程は、図４に示したように、少なくとも部分的にステーション２３０、２４０の多重帯域管理子により行われる。セッション転換が完了してからは、第１ステーション２３０及び第２ステーション２４０は、図５Ｄに示したように、相互間のデータ通信のための前記連結を利用できる。
【００６５】
図６については、ウェイクアップスケジュールによって作動する一つの多重帯域無線デバイスによる無線通信の一実施形態が後述される。図示された実施形態では、アウェイクビーコンと非アウェイクビーコンとが選択された間隔をおいて、多重帯域デバイスが利用できる複数帯域のうち一つ上にあるアクセスポイントから交互に伝送される。前記アウェイクビーコンは、例えば、図６でｔ２、ｔ４、及びｔ６に伝送される。前記非アウェイクターゲットビーコン伝送時間（Ｔａｒｇｅｔ  Ｂｅａｃｏｎ  Ｔｒａｎｓｍｉｓｓｉｏｎ  Ｔｉｍｅ、ＴＢＴＴ）は、例えば、図６でｔ３及びｔ５で発生する。一実施形態で、非アウェイクＴＢＴＴは、前記アクセスポイントも睡眠モードにある時に存在するビーコンを持っていない。
【００６６】
多重帯域ステーションは、アウェイクモードと睡眠モードとの間で転換できる。例えば、前記多重帯域ステーションが５０％のアウェイク区間義務周期（アウェイク区間義務周期についてのさらに詳細な内容は、後で説明される）を持っている時、前記多重帯域ステーションは、一つのアウェイクビーコンとその直後の非アウェイクビーコンとの間でアウェイクモードにあり、一つの非アウェイクビーコンとその直後のアウェイクビーコンとの間で睡眠モードにありうる。
【００６７】
図示された実施形態で、前記多重帯域無線デバイスは、結合された帯域上のアクセスポイント及び／または他のステーションに、結合された帯域のウェイクアップスケジュール情報要素６０１を伝送できる。前記ウェイクアップスケジュール情報要素６０１は、ｔ０とｔ１の時間間隔の間に伝送される。
【００６８】
ウェイクアップスケジュール情報要素６０１は、前記多重帯域ステーション自体の結合されていない帯域、または前記多重帯域ステーションが結合されたアクセスポイントの結合されていない帯域のウェイクアップスケジュールについての情報を含む。例えば、図５Ａないし図５Ｄの実施形態で、第２ステーション２４０は、低速帯域のウェイクアップスケジュール情報を伝送できる。前記情報要素は、第２ステーション２４０自体及び／または第２高速アクセスポイント２２５ｂのウェイクアップスケジュールを含む。
【００６９】
一実施形態で、前記ウェイクアップスケジュール情報要素６０１は、結合されていない帯域のウェイクアップスケジュールの開始時間についての情報を含む。図６で、開始時間はｔ２でありうる。
【００７０】
前記ウェイクアップスケジュール情報要素６０１は、睡眠間隔についての情報を含むことができるが、前記睡眠間隔は、２つの連続するアウェイクウィンドウの開始時点間の時間間隔、またはアウェイクモードと睡眠モードとの一周期期間（ｄｕｒａｔｉｏｎ  ｏｆ  ｏｎｅ  ｃｙｃｌｅ）を意味する。
【００７１】
前記ウェイクアップスケジュール情報要素６０１は、さらに結合されていない帯域のアウェイクウィンドウについての情報を含む。図６で、アウェイクウィンドウはｔ２とｔ２３との間になりうる。多重帯域ステーションのアウェイクウィンドウの間には、他のステーションは、該当多重帯域ステーションと結合されていない帯域上で競合基盤の通信を行える。多重帯域ステーションがアウェイクモードにあるもののアウェイクウィンドウの外にある間に、他のステーションは、前記多重帯域ステーションと予約された（ｐｒｅ−ｓｃｈｅｄｕｌｅｄ）通信を行える。ｔ２とｔ３との間の時間間隔はアウェイク区間と称する。図６で、アウェイクウィンドウ（ｔ２からｔ２３まで）はアウェイク区間（ｔ２からｔ３まで）より短いと分かった。しかし、さらに他の実施形態で、アウェイク区間の長さとアウェイクウィンドウとが互いに相当なレベルで同一（ｓｕｂｓｔａｎｔｉａｌｌｙ  ｔｈｅ  ｓａｍｅ）な場合、すなわち、アウェイク区間とアウェイクウィンドウとがほぼ完全に互いに重畳する。ウェイクアップスケジュール情報要素６０１のその他の詳細な内容は、図７Ａと図７Ｂとを連結して後述される。
【００７２】
図７Ａ及び図７Ｂについて、一つのウェイクアップスケジュール情報要素に対する一つのフレームフォーマットの一実施形態が後述される。前記ウェイクアップスケジュール情報要素は、多重帯域無線デバイス間に交換されるいずれかの適切な制御フレーム（ａｎｙ  ｓｕｉｔａｂｌｅ  ｃｏｎｔｒｏｌ  ｆｒａｍｅ）の部分でありうる。前記ウェイクアップスケジュール情報要素は、図６と連結して前述した通りに、ウェイクアップスケジュール及び／またはアウェイクウィンドウについての情報を含む。
【００７３】
図７Ａについて、一実施形態による一つの情報要素は、前記多重帯域ステーションのアウェイクウィンドウについての情報を含む。前記図示された情報要素７００Ａは、要素ＩＤフィールド７１０ａ、長さフィールド７２０ａ、及びアウェイクウィンドウフィールド７３０ａを含む。
【００７４】
図示された実施形態で、前記情報ＩＤフィールド７１０ａは情報要素７００Ａの識別子を表す情報を含み、長さが１オクテットである。前記長さフィールド７２０ａは情報要素７００Ａの長さを表示し、長さは１オクテットである。前記アウェイクウィンドウフィールド７３０ａは、マイクロ秒単位で測定されたアウェイクウィンドウの長さを含み、長さは２オクテットである。
【００７５】
図７Ｂについて、さらに他の実施形態で他の一つの情報要素は、一つの多重帯域ステーションのウェイクアップスケジュールについての情報を含む。前記図示された情報要素７００Ｂは、要素ＩＤフィールド７１０ｂ、長さフィールド７２０ｂ、開始時間フィールド７４０ｂ、及び睡眠間隔フィールド７５０ｂを含む。
【００７６】
図示された実施形態で、前記要素ＩＤフィールド７１０ｂは情報要素７００Ｂの識別子を表す情報を含み、長さが１オクテットである。前記長さフィールド７２０ｂは情報要素７００Ｂの長さを表示し、長さが１オクテットである。
【００７７】
前記開始時間フィールド７４０ｂは、４オクテットでありうる。非アクセスポイントステーションの管理のために、前記開始時間フィールド７４０ｂは、前記情報要素伝送の末から最初のアウェイクビーコンまでの予想される開始時間（ａｎｔｉｃｉｐａｔｅｄ  ｓｔａｒｔ  ｔｉｍｅ）をマイクロ秒単位で表示できる。前記開始時間フィールド７４０ｂは、前記最初のアウェイクビーコンの開始時に、タイミング同期化機能（ｔｉｍｉｎｇ  ｓｙｎｃｈｒｏｎｉｚａｔｉｏｎ  ｆｕｎｃｔｉｏｎ、ＴＳＦ）タイマー値の下位４つのオクテットを表示する値を含む。“タイミング同期化機能”という用語は、同じ基本サービスセット内のあらゆるステーションのタイマーの同期化された状態を維持させる機能を称する。ＴＳＦタイマーの一例は、ＩＥＥＥ  ８０２．１１標準に詳細に記録されている。アクセスポイント電力管理のために、前記開始時間フィールド７４０ｂは、最初の非アウェイクビーコン間隔の開始時間をマイクロ秒単位で表示できる。前記開始時間フィールド７４０ｂは、最初の非アウェイクビーコン間隔の開始時にＴＳＦタイマー値の下位４オクテットを表示する値を含む。
【００７８】
睡眠間隔フィールド７５０ｂは、その長さが２オクテットでありうる。非アクセスポイントステーションの管理のために、前記睡眠間隔フィールド７５０ｂは、２つの連続するアウェイクビーコン間の時間を、目標ビーコン伝送時間（ｔａｒｇｅｔ  ｂｅａｃｏｎ  ｔｒａｎｓｍｉｓｓｉｏｎ  ｔｉｍｅｓ、ＴＢＴＴｓ）の数で表示する。アクセスポイントの電力管理のために、前記球面間隔フィールド７５０ｂは、アクセスポイント睡眠間隔の長さをＴＢＴＴｓ数で表示する。通常の技術者は、図７Ａ及び図７Ｂの情報要素フィールドそれぞれの設定及び順序は、無線システムの設計によって大きく変わるということを理解できるであろう。
【００７９】
特定実施形態で、一つの情報要素は、多重帯域ステーションのアウェイクウィンドウについての情報と、結合されていない帯域上のステーション及びそのアクセスポイントの情報とをいずれも含む。かかる実施形態で、前記情報要素は、要素ＩＤフィールド、長さフィールド、アウェイクウィンドウフィールド、開始時間フィールド、及び睡眠間隔フィールドを含む。かかるフィールドについての詳細な内容は、図７Ａ及び図７Ｂと連結して前記で説明された通りである。
【００８０】
図８については、一実施形態によって、ウェイクアップ周期またはスケジュールによって作動する多重帯域無線ステーション間の無線通信方法が後述される。図８は、図５Ａないし図５Ｄの第２高速アクセスポイント２２５ｂ、第１ステーション２３０、及び第２ステーション２４０の結合されていない（高速）帯域のウェイクアップ周期についての一例を示すタイミングダイヤグラムである。
【００８１】
図示された実施形態で、第２ステーション２４０は、第２高速アクセスポイント２２５ｂと結合されている。第１ステーション２３０は、図５Ａに示したように、一応第１高速（ＨＲ）アクセスポイント２２５ａと結合される。第１ステーション２３０は、図５Ｂに示したように、第２ＨＲアクセスポイント２２５ｂと近づくように移動できる。前記図示された実施形態で、第１ステーション２３０及び第２ステーション２４０それぞれは、図４及び図５Ａと連結して前述したように、自身、一つまたはそれ以上のアクセスポイント、及び他の非アクセスポイントステーションのウェイクアップ周期またはスケジュールを共有してモニタリングできる。
【００８２】
前記図示された実施形態で、第２高速アクセスポイント２２５ｂは、アウェイクビーコンＡＢ１〜ＡＢ５及び非アウェイクビーコンＮＢ１〜ＮＢ５を、選択された間隔をおいて伝送できる。例えば、第２高速アクセスポイント２２５ｂは、ｔ０、ｔ１、ｔ２、…、ｔ９にビーコンＡＢ１〜ＡＢ５及びＮＢ１〜ＮＢ５を交互に伝送できる。第２高速アクセスポイント２２５は、アウェイク区間８０１の間に、例えば、ｔ０とｔ１の間、ｔ２とｔ３との間、ｔ４とｔ５との間、ｔ６とｔ７との間、及びｔ８とｔ９との間にアウェイク状態である。前記図示された実施形態で、ｔ１、ｔ３、ｔ５、ｔ７、及びｔ９はそれぞれｔ０とｔ２、ｔ２とｔ４、ｔ４とｔ６、ｔ６とｔ８、及びｔ８とｔ１０（表示せず）との中央に位置する。
【００８３】
第２高速アクセスポイント２２５ｂは、５０％のアウェイク区間義務周期を持つ。“アウェイク区間義務周期”という用語は、一つの睡眠間隔の間のアウェイク区間の比率を称する。前述したように、睡眠間隔は、２つの直ちに連続するアウェイク区間の開始時点間の間隔を称する。図６の第２高速アクセスポイントと関連して、アウェイク区間義務周期は、例えば、次の式から計算できる“（ｔ１−ｔ０）／（ｔ２−ｔ０）×１００”。
【００８４】
第２ステーション２４０は、アウェイク区間８１１の間に、例えば、ｔ０とｔ１の間、ｔ４とｔ５との間、及びｔ８とｔ９との間にアウェイク状態である。第２ステーション２４０は２５％のアウェイク区間義務周期を持ち、これは、例えば、次の式から計算できる。“（ｔ１−ｔ０）／（ｔ４−ｔ０）×１００”。
【００８５】
第２ステーション２４０は、それぞれのアウェイク区間の間に一つのアウェイクウィンドウを持つ。アウェイクウィンドウは、アウェイク区間の開始時点に始まり、アウェイク区間の終了時点前に終了する。図６で、例えば、第１アウェイクウィンドウ８２１はｔ０に始まり、ｔ０とｔ１との間にあるｔ０１に終了する。第２アウェイクウィンドウ８２２はｔ４に始まり、ｔ４とｔ５との間にあるｔ４５に終了する。第３アウェイクウィンドウ８２３はｔ８に始まり、ｔ８とｔ９との間にあるｔ８９に終了する。
【００８６】
前記第１ステーション２３０は、第２ステーション２４０及び／または第２高速アクセスポイント２２５ｂのウェイクアップスケジュールと同期化されていない、自体のウェイクアップスケジュールを持つ。例えば、第１ステーション２３０は、自体のウェイクアップスケジュールに基づいてアウェイク区間８３１ａを持つ。しかし、第１ステーション２３０はまた、ウェイクアップスケジュール情報要素を受信することで、第２ステーション２４０及び／または第２高速アクセスポイント２２５ｂのウェイクアップスケジュールについての情報を持つことができる。
【００８７】
第１ステーション２３０が第２高速アクセスポイント２２５ｂに近づくように移動した時、第１ステーション２３０は、少なくとも部分的に第２高速アクセスポイント２２５ｂのウェイクアップスケジュールに基づいて、自体のウェイクアップスケジュールを調節できる。例えば、第１ステーション２３０は、少なくとも部分的に第２ステーション２４０及び／または第２高速アクセスポイント２２５ｂのアウェイク区間８０１、８１１と同期化するように調節されたアウェイク区間８３１ｂを持つことができる。
【００８８】
そうすれば、第１ステーション２３０は、第２高速アクセスポイント２２５ｂのアウェイク区間８０１の間に第２高速アクセスポイント２２５ｂと結合を試みる。例えば、第１ステーション２３０は、ｔ４とｔ５との間で第２高速アクセスポイント２２５ｂとの結合プロセスを開始できる。
【００８９】
結合プロセスが成功的に完了すれば、第１ステーション２３０はまた、第２ステーション２４０のアウェイクウィンドウの間に第２ステーション２４０とのリンク形成を試みる。例えば、第１ステーション２３０は、第２ステーション２４０のその次に利用可能なアウェイクウィンドウの間に、例えば、３番目のアウェイクウィンドウ８２３である間に、第２ステーション２４０とのリンクセットアップを試みる。これらのリンクをセットアップする時、第１ステーション２３０は、例えば、直接連結などの連結のセットアップを要請するための制御フレームを伝送できる。一実施形態で、前記制御フレームは、一つのアドホックトラフィック表示メッセージ（ａｄ−ｈｏｃ  ｔｒａｆｆｉｃ  ｉｎｄｉｃａｔｉｏｎ  ｍｅｓｓａｇｅ、ＡＴＩＭ）でありうる。さらに他の実施形態で、第１ステーション２３０は、第２高速アクセスポイント２５５を通じて第２ステーション２４０との連結を形成できる。他の実施形態で、第１ステーション２３０は、高速アクセスポイント２２５ｂと先ず結合せずに第２ステーション２４０との連結を形成できる。
【００９０】
図９について、一実施形態によって一つまたはそれ以上のウェイクアップスケジュールによって作動する一つの多重帯域無線ステーションを利用する無線通信の過程が説明される。前記図示された過程は、結合されていない帯域（例えば、高速帯域）上で、新たなアクセスポイント（例えば、図５Ａないし図５Ｄの第２高速アクセスポイント２２５ｂ）に近づくように移動するステーション（例えば、図５Ａないし図５Ｄの第１ステーション２３０）によって行われる。前記アクセスポイントは、結合されていない帯域上でさらに他の無線ステーション（例えば、図５Ａないし図５Ｄの第２ステーション２４０）と結合される。他のステーションは、結合された帯域（例えば、低速帯域）上で前記ステーションと既連結されたリンクを持つ。
【００９１】
ブロック９１０で、第１ステーション２３０は、結合された帯域についての情報を含むウェイクアップスケジュール情報要素を受信する。前記情報は、第２高速アクセスポイント２２５ｂ及び第２ステーション２４０のウェイクアップスケジュールと、第２ステーション２４０のアウェイクウィンドウとを含む。
【００９２】
ブロック９２０で、第１ステーション２３０は、少なくとも部分的に第２高速アクセスポイント２２５ｂのウェイクアップスケジュールに基づいて、第２高速アクセスポイント２２５ｂの結合されていない帯域のアウェイク区間直前またはその間にウェイクアップできる。ブロック９３０で、第１ステーション２３０は、第２高速アクセスポイント２２５ｂから結合されていない帯域上にあるビーコン信号を受信し、結合されていない帯域のアウェイク区間の間に第２高速アクセスポイント２２５ｂとの結合プロセスを行える。そうすると、第１ステーション２３０は、選択的に非活性化または睡眠モードに入る。
【００９３】
ブロック９４０で、第１ステーション２３０は、少なくとも部分的に第２ステーション２４０のアウェイクウィンドウについての情報に基づいて、第２ステーション２４０の結合されていない帯域のアウェイク区間直前またはその間にウェイクアップできる。第１ステーション２３０は、結合されていない帯域のアウェイクウィンドウの間に結合プロセスを行うことで、第２ステーション２４０とのリンクを形成できる。
【００９４】
ブロック９５０で、第１ステーション２３０及び第２ステーション２４０は、結合された帯域で新たに結合された帯域にセッション転換を行える。そうすると、第１ステーション２３０及び第２ステーション２４０は、新たに結合された帯域上で互いにデータを通信できる。
【００９５】
特定実施形態で、アクセスポイント及び／または非アクセスポイントは、ステーションの結合及びリンク形成を容易にするために、ウェイクアップスケジュール情報要素を互いに交換した後で各自のウェイクアップスケジュールを調節できる。例えば、ブロック９１０で、第２高速アクセスポイント２２５ｂ及び第２ステーション２４０のウェイクアップスケジュールを受信した後、第１ステーション２３０は、第２高速アクセスポイント２２５ｂ及び第２ステーション２４０に、結合されていない帯域に対する代案的なウェイクアップスケジュールを提案できる。これに応じて、第２高速アクセスポイント２２５ｂ及び第２ステーション２４０は、結合されていない帯域に対する各自のウェイクアップスケジュール及び／またはアウェイクウィンドウを調節できる。他の実施形態で、アクセスポイント及び／または非アクセスポイントステーションは互いにウェイクアップスケジュール情報要素を交換した後、結合されていない帯域に対する各自ウェイクアップ義務周期を調節できる。
【００９６】
前記の実施形態の方法で、システムの設計によって一つまたはそれ以上のブロックは省略できる。さらに、２つまたはそれ以上のブロックが互いに結合されうる。通常の技術者ならば、システムの設計によって前記方法がさらなるブロックを含むことができるという点を理解できるであろう。
【００９７】
前記実施形態は、無線ネットワーク上でデータ（例えば、ビデオデータ、オーディオデータ）ストリーミングのために利用されてもよい。例えば、前記実施形態は、ＩＥＥＥ  ８０２．１１標準（例えば、ＩＥＥＥ  ８０２．１１ａｄ）下にある無線近距離通信網（ＷＬＡＮ）で非圧縮ビデオを伝送できるように調整できる。
【００９８】
前記実施形態はまた、約０．５Ｇｂｐｓで約４Ｇｂｐｓの超高スループット（ｖｅｒｙ  ｈｉｇｈ  ｔｈｒｏｕｇｈｐｕｔ、ＶＨＴ）を持つ無線システムに好適に調整できる。例えば、前記実施形態は、ＷｉＧｉｇなどの標準に好適に調整できる。他の構成では、前記実施形態がＩＥＥＥ  ８０２．１１標準を維持する間に、６０ＧＨｚの帯域幅を持つ無線システムに好適に調整できる。
【００９９】
以上で具体的に説明された内容が、多様な実施形態に適用された発明の核心的新規特徴を表し、説明し、かつ知らせているが、発明の意図から逸脱せずに、図示されたシステムの形態及び細部事項についての多様な省略と代替及び変更などが、当業者により加えれうるという点が理解できるであろう。
【図１】
2013505662.tif 000003
【図２】
2013505662.tif 000004
【図３】
2013505662.tif 000005
【図４】
2013505662.tif 000006
【図５Ａ】
2013505662.tif 000007
【図５Ｂ】
2013505662.tif 000008
【図５Ｃ】
2013505662.tif 000009
【図５Ｄ】
2013505662.tif 000010
【図６】
2013505662.tif 000011
【図７Ａ】
2013505662.tif 000012
【図７Ｂ】
2013505662.tif 000013
【図８】
2013505662.tif 000014
【図９】
2013505662.tif 000015
【国際調査報告】
2013505662.tif 000016
2013505662.tif 000017